(57)【要約】【課題】情報処理装置と撮影装置との機能連携を適切に実行するための設定を自動的に行う。【解決手段】ネットワークカメラ２００は、ユーザが近接したことを検出するために抽出されて設定された検出枠の大きさが予め定められた閾値以上ではないと判別された場合に（ステップＳ５００３でＹＥＳ）、検出枠を用いてユーザが情報処理装置に近接したか否かを検出する（ステップＳ５００５，５００６）。適切にユーザを検出することができる設定を自動的に行うことができる。従って、本実施の形態によれば、情報処理装置と撮影装置との機能連携を適切に実行するための設定を自動的に行うことができる。【選択図】図４
2015082753.tif 000002
【特許請求の範囲】
【請求項１】
情報処理装置へユーザが近接したことを検出した場合に予め定められた情報を前記情報処理装置に通知する撮影装置であって、
前記情報処理装置を撮影することで得られた撮影データから、前記ユーザが近接したことを検出するために抽出された検出枠を設定する検出枠設定手段と、
前記検出枠設定手段により設定された検出枠の大きさが予め定められた閾値以上か否か判別する判別手段と、
前記判別手段により前記検出枠の大きさが前記予め定められた閾値以上ではないと判別された場合に、前記検出枠を用いて前記ユーザが前記情報処理装置に近接したか否かを検出する検出手段と
を備えたことを特徴とする撮影装置。
【請求項２】
前記検出枠設定手段により設定された検出枠の検出枠外の大きさが予め定められた他の閾値以上か否か判別する他の判別手段をさらに備え、
前記検出手段は、前記他の判別手段により前記検出枠外の大きさが前記予め定められた他の閾値以上と判別された場合に、前記情報処理装置を利用するユーザと、前記情報処理装置の近傍を通過する通過者とを区別して前記ユーザが前記情報処理装置に近接したか否かを検出することを特徴とする請求項１記載の撮影装置。
【請求項３】
前記検出枠を再び抽出し、抽出された新たな検出枠の大きさが従前の検出枠の大きさと異なる場合に前記従前の検出枠を無効とすることを特徴とする請求項１または請求項２記載の撮影装置。
【請求項４】
前記予め定められた情報は、前記情報処理装置の省電力モードを解除するための情報であることを特徴とする請求項１乃至請求項３のいずれか１項に記載の撮影装置。
【請求項５】
請求項１乃至請求項４のいずれか１項に記載の撮影装置と、前記撮影装置から前記予め定められた情報を受信する情報処理装置とを含む情報処理システム。
【請求項６】
情報処理装置へユーザが近接したことを検出した場合に予め定められた情報を前記情報処理装置に通知する撮影装置の制御方法であって、
前記情報処理装置を撮影することで得られた撮影データから、前記ユーザが近接したことを検出するために抽出された検出枠を設定する検出枠設定ステップと、
前記検出枠設定ステップにより設定された検出枠の大きさが予め定められた閾値以上か否か判別する判別ステップと、
前記判別ステップにより前記検出枠の大きさが前記予め定められた閾値以上ではないと判別された場合に、前記検出枠を用いて前記ユーザが前記情報処理装置に近接したか否かを検出する検出ステップと
を備えたことを特徴とする制御方法。
【請求項７】
情報処理装置へユーザが近接したことを検出した場合に予め定められた情報を前記情報処理装置に通知する撮影装置の制御方法をコンピュータに実行させるためのプログラムであって、
前記制御方法は、
前記情報処理装置を撮影することで得られた撮影データから、前記ユーザが近接したことを検出するために抽出された検出枠を設定する検出枠設定ステップと、
前記検出枠設定ステップにより設定された検出枠の大きさが予め定められた閾値以上か否か判別する判別ステップと、
前記判別ステップにより前記検出枠の大きさが前記予め定められた閾値以上ではないと判別された場合に、前記検出枠を用いて前記ユーザが前記情報処理装置に近接したか否かを検出する検出ステップと
を備えたことを特徴とするプログラム。
【発明の詳細な説明】
【技術分野】
【０００１】
本発明は、情報処理システム、撮影装置及びその制御方法、並びにプログラムに関する。
【背景技術】
【０００２】
ネットワークカメラの計算能力や撮影画質の向上に伴い、情報処理装置との機能連携など、監視目的の録画以外の様々な応用が提案されている。また、情報処理装置の一例としての複合機の場合には、その機能が複雑化しており、例えばオフィスの生産性のために複合機単体では実現できない機能も求められるようになっている。
【０００３】
そこで、ネットワークカメラを複合機とを連携させることで、複合機の機能性を向上させる提案が行われている。
【０００４】
例えば、複合機は省電力のため、使用していない時間は省電力モードに移行する機能がある。省電力モードでは電力消費をできるだけ減らしたいため、センサーなども含めて通電しないことが望ましいが、ユーザを検知するセンサーを通電しない場合には、複合機がユーザの近接を検知できない。
【０００５】
そのためユーザを検知するセンサーを通電しない場合には、ユーザが使いたいときに使えない問題がある。
【０００６】
そこで、ネットワークカメラがユーザの近接を検知すると、対象の複合機に対してウェイクアップパケットを送信することで複合機の省電力モードを解除する機能連携が提案されている。
【０００７】
この機能連携を実施するためには、ネットワークカメラにどの複合機をどのように監視し、さらにどのように通知するのかを設定する必要がある。ネットワークカメラには液晶パネルやキーボートなどのユーザインタフェースデバイスが搭載されていないため、この設定が煩雑である。
【０００８】
この設定を自動化する技術として、複数の監視対象からスコアの高いものを選択する技術が提案されている（例えば、特許文献１参照）。
【０００９】
省電力モードからの復帰を連携機能で実現する場合には、ユーザの近接反応ありと判断するために、撮影画像内の検出枠の設定をネットワークカメラが記憶しておく必要がある。
【００１０】
この検出枠の設定は複合機の形状から特徴点を抽出し、特徴点に対するオブジェクト認識を行うことで割り出すことが可能である。
【先行技術文献】
【特許文献】
【００１１】
【特許文献１】特開２０００−３３３１５９号公報
【発明の概要】
【発明が解決しようとする課題】
【００１２】
しかしながら、複合機とネットワークカメラの位置関係は設置状況によって異なるため、位置関係に依存する設定の変更をする必要があり、これが煩雑であるという問題がある。
【００１３】
また、設置状況に対応させて設定を行った場合であっても、レイアウトの変更や遮蔽物の配置などで、設定が無効になる場合があるが、この確認作業も煩雑である。
【００１４】
本発明の目的は、情報処理装置と撮影装置との機能連携を適切に実行するための設定を自動的に行うことのできる情報処理システム、撮影装置及びその制御方法、並びにプログラムを提供することにある。
【課題を解決するための手段】
【００１５】
上記目的を達成するために、請求項１の撮影装置は、情報処理装置へユーザが近接したことを検出した場合に予め定められた情報を前記情報処理装置に通知する撮影装置であって、前記情報処理装置を撮影することで得られた撮影データから、前記ユーザが近接したことを検出するために抽出された検出枠を設定する検出枠設定手段と、前記検出枠設定手段により設定された検出枠の大きさが予め定められた閾値以上か否か判別する判別手段と、前記判別手段により前記検出枠の大きさが前記予め定められた閾値以上ではないと判別された場合に、前記検出枠を用いて前記ユーザが前記情報処理装置に近接したか否かを検出する検出手段とを備えたことを特徴とする。
【発明の効果】
【００１６】
本発明によれば、ユーザが近接したことを検出するために抽出されて設定された検出枠の大きさが予め定められた閾値以上ではないと判別された場合に、検出枠を用いてユーザが情報処理装置に近接したか否かを検出するので、適切にユーザを検出することができる設定を自動的に行うことができる。従って、本発明によれば、情報処理装置と撮影装置との機能連携を適切に実行するための設定を自動的に行う情報処理システム、撮影装置及びその制御方法、並びにプログラムを提供することができる。
【図面の簡単な説明】
【００１７】
【図１】本発明の実施の形態に係る画像処理システムの概略構成を示す図である。
【図２】図１におけるＭＦＰのコントローラ部の概略構成を示す図である。
【図３】図１におけるネットワークカメラのコントローラ部の概略構成を示す図である。
【図４】図３におけるＣＰＵにより実行される検出モード設定処理の手順を示すフローチャートである。
【図５】図３におけるＣＰＵにより実行される再検出処理の手順を示すフローチャートである。
【発明を実施するための形態】
【００１８】
以下、本発明の実施の形態について図面を参照しながら詳述する。
【００１９】
図１は、本発明の実施の形態に係る情報処理システム１の概略構成を示す図である。
【００２０】
図１において、情報処理システム１は、情報処理装置としての画像形成装置（以下、「ＭＦＰ」という）１００、及び撮影装置としてのネットワークカメラ２００で構成され、これらはＬＡＮ３００によって接続されている。
【００２１】
ＭＦＰ１００は、コントローラ部１０１、操作部１０２、プリンタ部１０３、及びスキャナ部１０４で構成される。
【００２２】
コントローラ部１０１は、ＭＦＰ１００全体を制御する。操作部１０２は、コントローラ部１０１と接続し、ユーザに各種情報を表示したり、ユーザの操作入力を受け付ける。プリンタ部１０３は、コントローラ部１０１と接続し、紙などの記録媒体に画像を印刷する。スキャナ部１０４は、コントローラ部１０１と接続し、原稿画像を読み込み、原稿画像を示す画像データを出力する。
【００２３】
ネットワークカメラ２００は、ＭＦＰ１００へユーザが近接したことを検出した場合に予め定められた情報として、ＭＦＰ１００の省電力モードを解除するための情報であるウェイクアップパケットをＭＦＰ１００に通知する。
【００２４】
このネットワークカメラ２００は、コントローラ部２０１、及びカメラ部２０２で構成される。
【００２５】
コントローラ部２０１は、ネットワークカメラ２００全体を制御する。カメラ部２０２は、コントローラ部２０１と接続し、撮影した画像データを出力する。
【００２６】
図２は、図１におけるＭＦＰ１００のコントローラ部１０１の概略構成を示す図である。
【００２７】
図２において、コントローラ部１０１は、ＣＰＵ５０１、ＤＲＡＭ５０２、Ｉ／Ｏコントローラ５０３、ネットワークインタフェース５０６、ＩＤＥ(Integrated Device Electronics)インタフェース５０４、パネルインタフェース５０７、プリンタインタフェース５０８、スキャナインタフェース５０９、及びＨＤＤ５０５で構成される。
【００２８】
ＣＰＵ５０１はコントローラ部１０１の各部を制御することで、ＭＦＰ１００全体を制御する。このＣＰＵ５０１はバスを介してＤＲＡＭ５０２と接続される。
【００２９】
ＤＲＡＭ５０２はＣＰＵ５０１が演算する過程で演算命令を表すプログラムデータや、処理対象のデータを一時的に配置するための作業メモリとしてＣＰＵ５０１によって使用される。
【００３０】
ＣＰＵ５０１はバスを介してＩ/Ｏコントローラ５０３と接続される。Ｉ/Ｏコントローラ５０３はＣＰＵ５０１の指示に従い各部に対する入出力を行う。Ｉ/Ｏコントローラ５０３にはＩＤＥインタフェース５０４が接続され、その先にＨＤＤ５０５が接続される。
【００３１】
ＣＰＵ５０１はＨＤＤ５０５を画像形成装置としての機能を実現するためのプログラムや、読み込んだドキュメントデータなどを永続的に記憶するために使用する。
【００３２】
Ｉ/Ｏコントローラ５０３にはネットワークインタフェース５０６が接続され、ＣＰＵ５０１はネットワークインタフェース５０６を介してＬＡＮ３００と通信する。
【００３３】
Ｉ/Ｏコントローラ５０３にはパネルインタフェース５０７が接続され、ＣＰＵ５０１はパネルインタフェース５０７を介して操作部１０２に各種情報を表示したり、ユーザによる操作入力内容を検出する。
【００３４】
Ｉ/Ｏコントローラ５０３にはプリンタインタフェース５０８が接続され、ＣＰＵ５０１はプリンタインタフェース５０８を介してプリンタ部１０３を制御する。
【００３５】
Ｉ/Ｏコントローラ５０３にはスキャナインタフェース５０９が接続され、ＣＰＵ５０１はスキャナインタフェース５０９を介してスキャナ部１０４を制御する。
【００３６】
上述した構成において、コピー機能を実施する場合は、ＣＰＵ５０１がIDEインタフェース５０４を介してＨＤＤ５０５からプログラムをＤＲＡＭ５０２に展開する。
【００３７】
そして、ＤＲＡＭ５０２に展開されたプログラムに従い、パネルインタフェース５０７を介して操作部１０２に対して行われたユーザからのコピー指示を検出する。
【００３８】
ＣＰＵ５０１はコピー指示を検出するとスキャナインタフェース５０９を介して、原稿を読み取ることで得られ、スキャナ部１０４が出力した画像データをＤＲＡＭ５０２に記憶する。
【００３９】
ＣＰＵ５０１はＤＲＡＭ５０２に記憶された画像データに対して印刷に適した色変換処理などを実施する。ＣＰＵ５０１はＤＲＡＭ５０２に記憶した画像データをプリンタインタフェース５０８を介してプリンタ部103に転送し、記録媒体へ印刷する。
【００４０】
図３は、図１におけるネットワークカメラ２００のコントローラ部２０１の概略構成を示す図である。
【００４１】
図３において、コントローラ部２０１は、ＣＰＵ６０１、ＤＲＡＭ６０２、Ｉ／Ｏコントローラ６０３、ネットワークインタフェース６０６、ＩＤＥインタフェース６０４、カメラインタフェース６０７、及びＨＤＤ６０５で構成される。
【００４２】
ＣＰＵ６０１はコントローラ部１０１の各部を制御することで、ネットワークカメラ２００全体を制御する。
【００４３】
このＣＰＵ６０１はバスを介してＤＲＡＭ６０２と接続される。このＣＰＵ６０１はバスを介してＤＲＡＭ６０２と接続される。
【００４４】
ＤＲＡＭ６０２はＣＰＵ６０１が演算する過程で演算命令を表すプログラムデータや、処理対象のデータを一時的に配置するための作業メモリとしてＣＰＵ６０１によって使用される。
【００４５】
ＣＰＵ６０１はバスを介してＩ/Ｏコントローラ６０３と接続される。Ｉ/Ｏコントローラ６０３はＣＰＵ６０１の指示に従い各部に対する入出力を行う。Ｉ/Ｏコントローラ６０３にはＩＤＥインタフェース６０４が接続され、その先にＨＤＤ６０５が接続される。
【００４６】
ＣＰＵ６０１はＨＤＤ６０５をネットワークカメラとしての機能を実現するためのプログラムや、撮影することで得られた撮影データなどを永続的に記憶するために使用する。
【００４７】
Ｉ/Ｏコントローラ６０３にはネットワークインタフェース６０６が接続され、ＣＰＵ６０１はネットワークインタフェース６０６を介してＬＡＮ３００と通信する。
【００４８】
Ｉ/Ｏコントローラ６０３にはカメラインタフェース６０７が接続され、ＣＰＵ６０１はカメラインタフェース６０７を介してカメラ部２０２を利用した撮影処理を実現する。
【００４９】
上述した構成において、監視映像記憶機能を実施する場合は、ＣＰＵ６０１がＩＤＥインタフェース６０４を介してＨＤＤ６０５からプログラムをＤＲＡＭ６０２に展開する。
【００５０】
そして、ＤＲＡＭ６０２に展開されたプログラムに従い、カメラインタフェース６０７を介してカメラ部２０２に映像記憶を指示する。ＣＰＵ６０１はカメラ部２０２から撮影データを受け取ると、ＨＤＤ６０５に記憶する。
【００５１】
次に、ＭＦＰ１００とネットワークカメラ２００との連携時の動作について説明する。ＭＦＰ１００とネットワークカメラ２００が連携してＭＦＰ１００の省電力モードの復帰を実施する場合は、ネットワークカメラ２００に搭載したＣＰＵ６０１が、ＨＤＤ６０５に記憶した連携設定に従い監視する監視モードで動作する。
【００５２】
連携設定を実施するためには、撮影領域内に設けられた検出枠と、ＭＦＰ１００のネットワークアドレスとの対応関係を示す情報が必要となる。
【００５３】
ＣＰＵ６０１はカメラ部２０２から受け取った撮影データをＤＲＡＭ６０２に順次展開し、検出枠に侵入者がいるか否か確認する。侵入者がいる場合にはＭＦＰ１００に対する近接者ありとして、ＭＦＰ１００にウェイクアップパケットを送信する。
【００５４】
ＭＦＰ１００はウェイクアップパケットを受信すると、ＣＰＵ５０１がＩＤＥインタフェース５０４、パネルインタフェース５０７、プリンタインタフェース５０８、及びスキャナインタフェース５０９に接続された各部に対して起動処理を指示する。
【００５５】
起動処理が指示されると、ＨＤＤ５０５、操作部１０２、プリンタ部１０３、及びスキャナ部１０４は起動処理を実施し、省電力モードから復帰する。
【００５６】
図４は、図３におけるＣＰＵ６０１により実行される検出モード設定処理の手順を示すフローチャートである。
【００５７】
図４において、ネットワークカメラ２００はＭＦＰ１００から検出モード設定要求を受信する（ステップＳ５００１）。次いでカメラ部２０２から取得した撮影データに対して検出枠を設定する（ステップＳ５００２）。このステップＳ５００２は、ＭＦＰ１００を撮影することで得られた撮影データから、ユーザが近接したことを検出するために抽出された検出枠を設定する検出枠設定手段に対応する。なお、検出枠の設定については後述する。
【００５８】
次いで、検出枠の大きさが閾値以上か否か判別する（ステップＳ５００３）。このステップＳ５００３は、設定された検出枠の大きさが予め定められた閾値以上か否か判別する判別手段に対応する。なお、検出枠の大きさについては後述する。
【００５９】
ステップＳ５００３の判別の結果、検出枠の大きさが閾値以上の場合には（ステップＳ５００３でＹＥＳ）、検出モードを検出不可モードに設定し（ステップＳ５００７）、ステップＳ５００８に進む。
【００６０】
一方、ステップＳ５００３の判別の結果、検出枠の大きさが閾値以上ではない場合には（ステップＳ５００３でＮＯ）、検出枠外の大きさが閾値以上か否か判別する（ステップＳ５００４）。このステップＳ５００４は、検出枠の検出枠外の大きさが予め定められた他の閾値以上か否か判別する他の判別手段に対応する。なお、検出枠外の大きさについては後述する。
【００６１】
ステップＳ５００４の判別の結果、検出枠外の大きさが閾値以上ではない場合には（ステップＳ５００４でＮＯ）、検出モードを低精度検出モードに設定し（ステップＳ５００５）、ステップＳ５００８に進む。
【００６２】
一方、ステップＳ５００４の判別の結果、検出枠外の大きさが閾値以上の場合には（ステップＳ５００４でＹＥＳ）、検出モードを高精度検出モードに設定する（ステップＳ５００８）。
【００６３】
上記ステップＳ５００５，５００６で各々のモードが設定されると、ＣＰＵ５０１は設定されたモードで検出枠を用いて検出を開始する。
【００６４】
また、上記ステップＳ５００５，５００６は、検出枠の大きさが予め定められた閾値以上ではないと判別された場合に（ステップＳ５００３でＮＯ）、検出枠を用いてユーザがＭＦＰ１００に近接したか否かを検出する検出手段に対応する。
【００６５】
次いで、ステップＳ５００５，５００６，５００７で設定された検出モードをＭＦＰ１００に通知して（ステップＳ５００８）、監視モードに復帰して（ステップＳ５００８）、本処理を終了する。
【００６６】
まず、上記検出枠の設定について説明する。検出枠の設定では、予めＭＦＰ１００に対応するオブジェクトの特徴点を抽出したものをＨＤＤ６０５に記憶しておき、この特徴点を用いて撮影データに対するオブジェクト検出を行う。
【００６７】
オブジェクト検出の結果、ＭＦＰ１００の大きさと向きが分かると、ＭＦＰ１００の前方１メートル四方の領域になるように検出枠の位置と大きさを設定する。
【００６８】
ここでは検出枠の領域を１メートル四方としているが、ＭＦＰ１００の形状や大きさに対応させて、１メートル四方以外の領域を設定してもよい。また、設定された検出枠を示す検出枠情報は、ＨＤＤ６０５に記憶される。
【００６９】
次いで検出枠の大きさについて説明する。検出枠の大きさが撮影領域から大きくはみ出す場合などは適切な検出ができない可能性があるので、この場合には検出不可となる。
【００７０】
そこで、基準となる閾値を予め設定しておき、検出枠の大きさと、閾値との比較を行い、検出枠の大きさが閾値以上の場合には、検出不可モードを設定する。
【００７１】
基準となる閾値は、ＭＦＰ１００の大きさやネットワークカメラ２００の画角や解像度など、複数の事象により定まるので、ＭＦＰ１００やネットワークカメラ２００の仕様や実験などにより定めておくことで、適切にユーザの近接を検出することができる。
【００７２】
一方、検出枠が小さすぎる場合はオブジェクト認識ができない可能性が高いが、認識性能が十分に高い実装系においては検出枠の小ささに対する閾値も設定し、これとの比較も行う必要がある。
【００７３】
次に検出枠外の大きさについて説明する。検出枠外の大きさが十分に大きい場合は検出枠に入る前のユーザの状態を検出することで、ユーザと通過者との区別が可能である。
【００７４】
そこで、基準となる閾値を予め設定しておき、検出枠外の大きさと、閾値との比較を行う。
【００７５】
その結果、検出枠外の大きさが閾値以上ではない場合は、枠に入る前のユーザの状態を検出できないので、低精度検出モードを設定する。この低精度検出モードでは、通過者とユーザとを誤検知する場合があるが、ユーザを待たせることなく省電力モードから復帰できる。
【００７６】
一方、検出枠外の大きさが閾値以上の場合は、検出枠に入る前のユーザの行動が解析できるので、高精度検出モードとする。この高精度検出モードは、具体的にＭＦＰ１００を利用するユーザと、ＭＦＰ１００の近傍を通過する通過者とを区別してユーザがＭＦＰ１００に近接したか否かを検出するモードである。
【００７７】
この高精度検出モードでは、通過者であった場合に省電力モードから復帰することがなくなるので、よりＭＦＰ１００の消費電力を低減できる。
【００７８】
なお、上述した検出モード設定処理では、ＭＦＰ１００が予め定めておいたネットワークカメラ２００に対して検出モード設定要求を送信する。
【００７９】
これにより、同一のネットワークカメラから複数のＭＦＰが撮影可能な場合や、同一のＭＦＰを複数のネットワークカメラから撮影可能な場合であっても、上述した検出モード設定処理を適用できる。この検出モード設定処理により、検出モードの切り替えを自動的に行うことができる。
【００８０】
図４の検出モード設定処理によれば、ユーザが近接したことを検出するために抽出されて設定された検出枠の大きさが予め定められた閾値以上ではないと判別された場合に（ステップＳ５００３でＹＥＳ）、検出枠を用いてユーザが情報処理装置に近接したか否かを検出するので（ステップＳ５００５，５００６）、適切にユーザを検出することができる設定を自動的に行うことができる。従って、本実施の形態によれば、情報処理装置と撮影装置との機能連携を適切に実行するための設定を自動的に行うことができる。
【００８１】
この検出モード設定処理で検出モードを設定した後に、ネットワークカメラ２００とＭＦＰ１００との位置関係が変化することがあるので、再検出する必要がある。
【００８２】
図５は、図３におけるＣＰＵ６０１により実行される再検出処理の手順を示すフローチャートである。
【００８３】
図５において、ネットワークカメラ２００はＭＦＰ１００から再検出要求を受信する（ステップＳ６００１）。
【００８４】
次いでカメラ部２０２から取得した撮影データに対して検出枠を抽出し（ステップＳ６００２）、検出モード設定処理で設定された検出枠を示す検出枠情報をＨＤＤ６０５から取得し、抽出された検出枠と比較する。
【００８５】
比較した結果、検出モード設定処理で設定された検出枠と抽出された検出枠との大きさが同じか否か判別する（ステップＳ６００３）。
【００８６】
ステップＳ６００３の判別の結果、検出枠の大きさが同じではない場合には（ステップＳ６００３でＮＯ）、ＭＦＰ１００に再検出失敗を通知して（ステップＳ６００５）、監視モードに復帰して（ステップＳ６０６６）、本処理を終了する。
【００８７】
一方、ステップＳ６００３の判別の結果、検出枠の大きさが同じ場合には（ステップＳ６００３でＹＥＳ）、ＭＦＰ１００に再検出成功を通知して（ステップＳ６００４）、監視モードに復帰して（ステップＳ６０６６）、本処理を終了する。
【００８８】
上述した処理において、大きさが異なる場合は、ＭＦＰ１００及びネットワークカメラ２００の少なくとも一方の配置が変わって連携設定として保持する検出枠の大きさやサイズが無効であることを表している。レイアウト変更や遮蔽物の配置などによりこのような設定無効状態に陥ることがある。
【００８９】
ＭＦＰ１００は再検出失敗が通知されると、ユーザに注意を促し、連携設定を再度やり直す必要がある。また、連携設定を自動的に実行し、ユーザには通知を行うだけでもよい。
【００９０】
この再検出処理に示されるように、検出枠を再び抽出し、抽出された新たな検出枠の大きさが従前の検出枠の大きさと異なる場合に従前の検出枠を無効とする。従って、ＭＦＰ１００とネットワークカメラ２００の位置関係が変更された場合に、検出モードの設定が有効ではないことを自動で検出することができる。
【００９１】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００９２】
１  情報処理システム
１００  ＭＦＰ
１０１，２０１  コントローラ部
２００  ネットワークカメラ
５０１，６０１  ＣＰＵ
５０２，６０２  ＤＲＡＭ
５０５，６０５  ＨＤＤ
【図１】
2015082753.tif 000003
【図２】
2015082753.tif 000004
【図３】
2015082753.tif 000005
【図４】
2015082753.tif 000006
【図５】
2015082753.tif 000007